(57)【要約】【課題】建物管理側の望ましいルートを選択することで、安全な移動を案内できる建物内移動案内装置を得る。【解決手段】エスカレーターとエレベータとを有する建物内で移動する移動者が入力する操作入力に従って選択された店舗または扱い業種アイテムを入居階の上から順に並べルート及び移動手段を決めるようにして昇降機のお勧め利用書を作成しプリントアウトする案内板を備えた昇降機利用案内装置であって、前記案内板は、移動者の操作入力に基づいて選択された店舗に子供に関係する店舗アイテムが指定されているときはエスカレーターの上昇運転を不可とする。【選択図】図８
2011213474.tif 000002
【特許請求の範囲】
【請求項１】
エスカレーターとエレベータとを有する建物内で移動する移動者が入力する操作入力に従って選択された店舗または扱い業種アイテムを入居階の上から順に並べルート及び移動手段を決めるようにして昇降機のお勧め利用書を作成しプリントアウトする案内板を備えた建物内移動案内装置であって、
前記案内板は、移動者の操作入力に基づいて選択された店舗に子供に関係する店舗アイテムが指定されているときはエスカレーターの上昇運転を不可とする
ことを特徴とする建物内移動案内装置。
【請求項２】
請求項１に記載の建物内移動案内装置において、
前記案内板は、２階床までの移動はエスカレーターの利用、３階床以上の移動はエレベータの利用として案内する
ことを特徴とする建物内移動案内装置。
【請求項３】
請求項１または２に記載の建物内移動案内装置において、
前記案内板は、エスカレーターの上昇運転不可時は、エスカレーターに代わりエレベータによる移動を指定する
ことを特徴とする建物内移動案内装置。
【発明の詳細な説明】
【技術分野】
【０００１】
この発明は、エスカレーターとエレベータとを備える建物内における移動に際し、移動者の操作入力に従ってルート及び移動手段を決めるようにした建物内移動案内装置に関するものである。
【背景技術】
【０００２】
従来の建物内移動案内装置として、案内図上に買物客の位置から目的の商品の陳列場所までのルートを図示するものがある（例えば、特許文献１参照）。
【先行技術文献】
【特許文献】
【０００３】
【特許文献１】特許第３１３７８４４号明細書
【発明の概要】
【発明が解決しようとする課題】
【０００４】
しかしながら、従来の建物内移動案内装置は目的の商品の陳列場所までのルートを図示できるものの、建物管理側の望ましいルートを選択し、必ずしも安全な移動を案内するものでなかった。
【０００５】
この発明は上述した点に鑑みてなされたもので、建物管理側の望ましいルートを選択することで、安全な移動を案内できる建物内移動案内装置を得ることを目的とする。
【課題を解決するための手段】
【０００６】
この発明に係る建物内移動案内装置は、エスカレーターとエレベータとを有する建物内で移動する移動者が入力する操作入力に従って選択された店舗または扱い業種アイテムを入居階の上から順に並べルート及び移動手段を決めるようにして昇降機のお勧め利用書を作成しプリントアウトする案内板を備えた昇降機利用案内装置であって、前記案内板は、移動者の操作入力に基づいて選択された店舗に子供に関係する店舗アイテムが指定されているときはエスカレーターの上昇運転を不可とすることを特徴とする。
【発明の効果】
【０００７】
この発明の建物内移動案内装置によれば、管理者側の望ましいルートを選択して案内するので、安全な移動を案内できる。
【図面の簡単な説明】
【０００８】
【図１】この発明の建物内移動案内装置の構成を表す図である。
【図２】図１に示す案内板６のタッチ画面７上の操作画面を示す図である。
【図３】図１に示す案内板６が所有するデータを表す図である。
【図４】エレベータとエスカレーターの移動速度を説明する図である。
【図５】買い物に移動する移動者のエスカレーターの利用状況を示す図である。
【図６】買い物に移動する移動者のエスカレーターの利用状況を示す図である。
【図７】案内板のメニューが選択された実施の形態１を示す図である。
【図８】この発明の基本動作フローを示す図である。
【図９】実施の形態１に対応した利用書の状態を表す図である。
【図１０】実施の形態１に対応した利用書の状態を表す図である。
【図１１】実施の形態１に対応した利用書のプリントアウトを表す図である。
【図１２】実施の形態１に対応して利用者をエレベータへ誘導する状態を表す図である。
【図１３】案内板のメニューが選択された実施の形態２を示す図である。
【図１４】実施の形態２に対応した利用書（その１）を表す図である。
【図１５】実施の形態２に対応した利用書（その２）を表す図である。
【図１６】実施の形態２に対応した利用書（その３）を表す図である。
【図１７】実施の形態２に対応した利用書（その４）を表す図である。
【図１８】実施の形態２に対応した利用書（その１）のプリントアウトを表す図である。
【図１９】実施の形態２に対応した利用書（その２）のプリントアウトを表す図である。
【図２０】実施の形態２に対応した利用書（その３）のプリントアウトを表す図である。
【図２１】案内板のメニューが選択された実施の形態３を示す図である。
【図２２】実施の形態３に対応した利用書の状態を表す図である。
【図２３】実施の形態３に対応した利用書の状態を表す図である。
【図２４】実施の形態３に対応した利用書の状態を表す図である。
【図２５】実施の形態３に対応した利用書の状態を表す図である。
【図２６】実施の形態３に対応した利用書の状態を表す図である。
【図２７】実施の形態３に対応した利用書のプリントアウトを表す図である。
【発明を実施するための形態】
【０００９】
実施の形態１．
図１は、この発明の建物内移動案内装置の構成を表す図である。図１に示すように、建物１の入り口２の近辺に、案内板６が設けられ、この案内板６は、移動者が操作するタッチ画面７と、指定された内容を計算して移動ルートを示した昇降機のお勧め利用書をプリントアウトするプリンター８と、建物内移動に関する各種データの図示しない演算手段とを有している。なお、３はエレベータ、４はエレベータの制御盤、５はエスカレーター、９は、エレベータ３、制御盤４、エスカレーター５及び案内板６を電気的に繋ぐ配線であり、１０は、建物１内に入居した店舗名である。
【００１０】
図２は、案内板６のタッチ画面７上に表示された操作画面を示す図である。図２の左側画面は、建物に入っている店舗名をあいうえお順に表示した店舗名順の画面であり、中央画面は、やはりあいうえお順に示した店舗の扱い業種を表示した扱い業種順の画面である。また、右側画面は、現像依頼、駐車割引等の条件を入力する画面である。図２において、店舗名と扱い業種はリンクされ、移動者がタッチした店舗名とリンクされた扱い業種の両方が反転表示されるので、移動者は店舗名が判れば、左側画面の店舗名または中央画面の扱い業種からタッチしても良い。
【００１１】
図２の左側画面または中央画面のタッチした店舗に続いて右側画面をタッチすると、例えば写真屋でフイルムの現像依頼にタッチすると、所定時間後以降に再訪問する利用書の作成が出来る。または花屋で花束依頼にタッチすると、特別な包装で花束を作って貰い所定時間後以降に再訪問する利用書の作成が出来る。駐車割引は、各店舗で買い物をした金額に応じて駐車料金を割り引いてもらう移動者が建物から出るときに、サービスカウントにおいてタッチする。
【００１２】
また、食事釦は、移動の「初め」、「最後」、「その他」をタッチすると、タッチした条件でお勧め利用書が作成される。治療時刻は、歯医者に予約をしている場合、予約時刻に歯医者にいけるように移動順位を計算する。時刻はタッチによるプルダウンメニューなどで入力する。
【００１３】
図３は、案内板６が所有するデータを表す図で、店舗名、扱い業種、店舗の入居階、その店舗内で買い物などが終了できる所要時間、買い物後包装などの付帯条件およびその作業に要する所要時間がリンク付けられている。また、網掛けした店舗は、子供に関係した業種で、子供が親についてきたり単独でやってくる店舗であることを示している。
【００１４】
図４は、建物内の階高と階数によりエレベータ、エスカレーターの移動時間を表している。１階高あたり３ｍ、建物全行程２１ｍの建物において、エレベータは、速度が９０ｍ／ｍｉｎ、乗場での待ち時間２０秒とすると、１階床移動時間ｔエレ１は下式で表される。
ｔエレ１＝３／（９０／６０）＋２０＝２２ｓｅｃ
２階床移動時間ｔエレ２、３階床移動時間ｔエレ３は、
ｔエレ２＝２×３／（９０／６０）＋２０＝２４ｓｅｃ、
ｔエレ３＝３×３／（９０／６０）＋２０＝２６ｓｅｃ
となる。
【００１５】
一方、エスカレーターは、速度が３０ｍ／ｍｉｎ（角度３０度）で、垂直移動速度は１５ｍ／ｍｉｎ速度となり、１階床移動時間ｔエス１は下式となる。
ｔエス１＝３／（１５／６０）＝１２ｓｅｃ
２階床移動時間ｔエス２、３階床移動時間ｔエス３は、
ｔエス２＝２×３／（１５／６０）＝２４ｓｅｃ、
ｔエス３＝３×３／（１５／６０）＝３６ｓｅｃ
となる。
【００１６】
上記のように、２階床移動までは概ねエスカレーターの方が早いため、案内板６は、２階床までの移動はエスカレーターの利用、３階床以上の移動はエレベータの利用として計算する。
【００１７】
図５と図６は、買い物に移動する移動者の状況を示した図である。図５において、上り運転するエスカレーター５に乗ってきた移動者１４は、所定階床に上がってきてやっとその階の品物を見ることになるのに対し、下り運転のエスカレーター５に乗っている移動者１５は、目的の階に着くまで、上から広い視野で見られるので目的の店舗や品物が前もって探せる。
【００１８】
また、図６において、上り運転エスカレーター５の移動者は、上の階へ亘る際、デルタゾーンを通ることになり、挟まれ防止用のデルタガード１１の横を通過するので、一緒に移動する子供などがデルタガード１１に触ったり、或いは買いたい気持ちが強く顔を乗り出してぶつかりそうにならないよう注意を払うことが必要になる可能性がある。
【００１９】
このため、買い物をするには下りエスカレーター５の利用が上りより適している。したがって、案内板６は、エスカレーターの移動は、上りより下りを優先する選択肢を持っていて、初めになるべくエレベータ３にて上層階に移動させ、その後、エスカレーター５でじっくり見ながら売り場に向かう利用を基本とする。特に、子供に関係のある店舗が利用ルートに入ってる場合、エスカレーター５の上り運転の利用は不可としている。
【００２０】
図７は、案内板６のメニューが選択された実施の形態１を示す図である。図７において、移動者により、案内板６のタッチ画面７の「Ｄ店」、「Ｓ店」、「Ｙ店」、「Ｚ店」、「駐車割引」が選択されている。上記移動者の要求に対し、案内板６は、図８に示す利用書作成フローに従って利用書を作成する。図８に示すように、案内板６は、選択された店舗名又は扱い業種アイテムを入居階の上から順に並べ（Ｓ００１）、図９に示す利用書が作成される。食事条件が「最後」と設定されているので（Ｓ００２→Ｓ００８）、選択された食事業アイテムを最後に並替し（Ｓ０１０）、図１０に示す利用書に変わる。
【００２１】
次に、治療予約は無く（Ｓ００４）、駐車割引はあるので（Ｓ００５）、「サービスカウント」を最後に並べ変え、入り口からのルートと出口へのルートを作り全てのルートの移動手段を決めると（Ｓ００６）、図１１に示す利用書が作成される。子供に関係する店舗アイテムが指定されていないが（Ｓ００７）、元々エスカレーター５の上昇運転は無く、利用書はプリントアウトされ、図１２のようにエレベータ案内灯１２を点灯させ、利用者をエレベータ３に向かわせる。１３はエスカレーター５の案内灯で、もしエスカレーター５へ誘導するときは点灯させると共にエスカレーター５を起動させる。
【００２２】
実施の形態２．
図１３は、実施の形態２を示す移動者の要求画面である。実施の形態１と同様に、図８の動作フローに従って動作を説明する。店舗、駐車割引指定は、実施の形態１と同じであるが、食事の指定が「その他」であり、移動中のどのタイミングか判らないため、考えられる全ての順位に割り振った利用書を作成する。
【００２３】
まず、図１４−図１７に示す利用書が作成され、図８のフローに沿って処理すると、図１８〜図２０の３種類の利用書がプリントアウトされる。注目する点は、図１９の行程(２)において、エスカレーター上昇運転が利用されているが、図８のＳ００７に該当せず危険性が無いためこのままプリントアウトされる。
【００２４】
実施の形態３．
次に、図２１は実施の形態３を示す移動者の要求である。図２１において、「おもちゃや」、「歯医者」、「花屋」、「本屋」と「花束依頼」、治療予約（１４：４５）が指定されている。
【００２５】
図８のフローにおいて、選択された店舗名又は扱い業種アイテムを入居階の上から順に並べることで（Ｓ００１）、図２２に示す利用書が作成される。食事条件の指定は無く（Ｓ００２）、花束依頼がされているので（Ｓ００３）、該当する扱い業種アイテムの後に所要時間を考慮して同じアイテムを再度入れると（Ｓ０１１）、図２３に示す利用書が作成される。続いて、治療予約があるので（Ｓ００４）、歯医者以外の各アイテムの所要時間を計算して図２４に示す利用書が作成され、予約時刻となる順位に歯医者アイテムを挿入すると図２５に示す利用書が作成される。駐車割引は無く（Ｓ００５）、整理すると（Ｓ００６）図２６に示す利用書が作成される。ここで、おもちゃやは子供に関係する店舗アイテムなので（Ｓ００７）、図２６の行程(２)のエスカレーター上昇運転は不可となり、図２７のようにエレベータによる移動が指定され、利用書はプリントアウトされる。
【符号の説明】
【００２６】
１  ビル、２  出入ロ、３  エレベータ、４  制御盤、５  エスカレーター、６  案内板、７  タッチ画面、８  プリンター、９  配線・ケーブル、１０  店舗、１１  デルタガード、１２  案内灯、１３  案内灯、１４  移動者、１５  移動者。
【図１】
2011213474.tif 000003
【図２】
2011213474.tif 000004
【図３】
2011213474.tif 000005
【図４】
2011213474.tif 000006
【図５】
2011213474.tif 000007
【図６】
2011213474.tif 000008
【図７】
2011213474.tif 000009
【図８】
2011213474.tif 000010
【図９】
2011213474.tif 000011
【図１０】
2011213474.tif 000012
【図１１】
2011213474.tif 000013
【図１２】
2011213474.tif 000014
【図１３】
2011213474.tif 000015
【図１４】
2011213474.tif 000016
【図１５】
2011213474.tif 000017
【図１６】
2011213474.tif 000018
【図１７】
2011213474.tif 000019
【図１８】
2011213474.tif 000020
【図１９】
2011213474.tif 000021
【図２０】
2011213474.tif 000022
【図２１】
2011213474.tif 000023
【図２２】
2011213474.tif 000024
【図２３】
2011213474.tif 000025
【図２４】
2011213474.tif 000026
【図２５】
2011213474.tif 000027
【図２６】
2011213474.tif 000028
【図２７】
2011213474.tif 000029